【手続補正書】
【提出日】平成29年5月18日(2017.5.18)
【手続補正１】
【補正対象書類名】特許請求の範囲
【補正対象項目名】全文
【補正方法】変更
【補正の内容】
【特許請求の範囲】
【請求項１】
個人のウェルネスを維持するか、または向上するための支援を提供するための方法であって、
前記個人由来のサンプル中の１若しくはそれ以上のバイオマーカーの存在および／または濃度を測定する工程と、
前記測定された１若しくはそれ以上のバイオマーカーの存在および／または濃度に基づき、前記個人のウェルネスを維持するか、または向上するためのウェルネスの必要性を予測する工程であって、前記１若しくはそれ以上のバイオマーカーは、ウェルネスの必要性の指針である、前記予測する工程と、
前記個人のウェルネスの必要性に対処することによって、前記個人に支援を提供する工程と
を有する方法。
【請求項２】
請求項１記載の方法において、前記１若しくはそれ以上のバイオマーカーは、ポリペプチド、ポリヌクレオチド、代謝物、微生物、無機化合物、およびイオンから成る群から選択されるものである方法。
【請求項３】
請求項２記載の方法において、前記１若しくはそれ以上のバイオマーカーの存在および／または濃度は、抗体、抗原、アプタマー、天然受容体、合成受容体、リガンド、酵素、酵素の基質、核酸プローブから選択される認識分子を用いることによって測定されるものである方法。
【請求項４】
請求項３記載の方法において、前記抗体は、前記１若しくはそれ以上のバイオマーカーに特異的に結合する、条件により活性な抗体である方法。
【請求項５】
請求項１記載の方法において、複数の異なるバイオマーカーが測定され、前記複数の異なるバイオマーカーのこれらの測定結果が、前記予測する工程で使用されるものである方法。
【請求項６】
請求項１記載の方法において、前記測定する工程は、光学トランスデューサ、質量に基づくトランスデューサ、磁場に基づくトランスデューサ、電気化学的なトランスデューサ、および熱量測定のトランスデューサから選択されるトランスデューサを有する１若しくはそれ以上のバイオセンサを用いて行われるものである方法。
【請求項７】
請求項６記載の方法において、前記１若しくはそれ以上のバイオセンサは、２種類以上の異なるバイオマーカーに特異的な２種類以上の異なる認識分子を有するものである方法。
【請求項８】
請求項１記載の方法において、前記サンプル中の１若しくはそれ以上のバイオマーカーの存在および／または濃度は、電位差電極、電流滴定電極、および導電率電極から選択される１若しくはそれ以上の電極によって測定されるものである方法。
【請求項９】
請求項１記載の方法において、前記１若しくはそれ以上のバイオマーカーの存在および／または濃度は、抗体、アプタマー、オリゴヌクレオチド、およびこれらの組み合わせから選択される認識分子のアレイによって測定されるものである方法。
【請求項１０】
請求項１記載の方法において、前記測定する工程は、繰り返されるパッシブ型の測定を有するものである方法。
【請求項１１】
請求項１記載の方法において、前記測定する工程は、前記個人の生理学的パラメータを測定する工程をさらに有する方法。
【請求項１２】
請求項１１記載の方法において、前記生理学的パラメータは、体温、脈拍数、血圧、呼吸速度、体水分の状態、筋電活性、目の動き、およびこれらの組み合わせから選択されるものである方法。
【請求項１３】
請求項１記載の方法において、前記測定する工程で測定されるデータは、前記測定が行われる位置での時間と関係づけられるものである方法。
【請求項１４】
請求項１３記載の方法において、その時点での温度、高度のノイズ、高度、風、湿度、公害、酸素、日光、花粉、群衆密度、コンクリート、芝生、夜、昼、付近の幹線道路、および交通密度、飛行機の飛行、宇宙の放射線レベル、ラドン曝露、衣服、並びにこれらの組み合わせから選択される、前記位置からのさらなるデータは、前記測定する工程で測定されるか、または前記測定する工程で採取される１若しくはそれ以上の測定結果と関係づけられるものである方法。
【請求項１５】
請求項１記載の方法において、前記個人の生活環境を変えることは、照明の明るさ及び／または色を調整すること、室温を調整すること、湿度を調整すること、家具を再配置すること、音楽をかけること、音楽またはオーディオのボリュームを調整すること、ＴＶのチャンネルを変えること、記録された音声または音を流すこと、壁または画面の外観を変えること、屋根を引っ込めること、窓を開けるか、または閉めること、空気中の酸素濃度を調整すること、空気中に香りを付与するか、または香りを調整すること、および１若しくはそれ以上の浮揚する化学物質を空気に導入することから選択される変化を有するものである方法。
【請求項１６】
請求項１記載の方法において、前記生活環境を変えることは、表示およびウェブ検索結果の１若しくはそれ以上を変えることを有するものである方法。
【請求項１７】
請求項１記載の方法において、前記情報、アドバイス、またはガイダンスは、前記予測されるウェルネスの必要性を行うための一連の動作、予測される疾患または健康上の関心を予防するか、または軽減するための一連の動作、前記予測される疾患または健康上の関心をより良く取り扱うための一連の動作、およびこれらの組み合わせから選択される一連の動作を有するものである方法。
【請求項１８】
請求項１７記載の方法において、前記一連の動作は、専門家のカウンセリングを探すこと、旅行、運動、くつろぐこと、友人と会うこと、食事計画を採用すること、ワインまたは飲み物を飲むこと、映画を見ること、ビデオゲームで遊ぶこと、買い物、食事、海を訪れること、服を着用すること、ヘアスタイルにすること、友人に話すこと、デーティングサービスを使用すること、ゲームをすること、およびこれらの任意の組み合わせから選択される活動を有するものである方法。
【請求項１９】
請求項１記載の方法において、前記情報、アドバイス、またはガイダンスは、サプリメント、ビタミン、飲料、美容製品、パーソナルケア製品、減量製品、スキンケア製品、スポーツ用サプリメント、抽出物、プロバイオティクス、調味料、香味料、甘味料、味／芳香遮断剤／調整剤、増量剤、ビデオゲーム、電子機器、読み物、音楽、映画、ＴＶプログラム、ライブショー、服、アクセサリー、靴、家庭用品、運動装置、さまざまな食品、船、自動車、自転車、レストラン、事務用品、家具、および休暇リゾート／目的地から選択される１若しくはそれ以上の製品を提案することを有するものである方法。
【請求項２０】
請求項１記載の方法において、前記情報、アドバイス、またはガイダンスは、メッセージ、金融サービス、デーティングサービス、ケータリングサービス、ホームクリーニングサービス、ホームインプルーブメントサービス、理髪サービス、化粧品サービス、専門的なカウンセリングサービス、旅行サービス、カジノゲームサービス、買い物サービス、不動産サービス、スポーツ関連サービス、娯楽サービス、オンラインオークションサービスおよびホスピタリティサービスから選択される１若しくはそれ以上のサービスを提案することを有するものである方法。
【請求項２１】
請求項１記載の方法において、前記情報、アドバイス、またはガイダンスは、製品またはサービスのための少なくとも１つのプロモーションまたはクーポンを有するものである方法。
【請求項２２】
請求項１記載の方法であって、さらに、前記情報、アドバイス、またはガイダンスに関連して、地元の事業を提案しする工程、および／または地元の事業のマップ位置を提供する工程を有し、前記情報、アドバイス、またはガイダンスは、製品またはサービスを提案することを含み、前記地元の事業は、前記提案された製品またはサービスを提供するものである方法。
【請求項２３】
個人のウェルネスを維持するか、または向上するために前記個人に支援を提供するためのシステムであって、
前記個人由来のサンプル中の１若しくはそれ以上のバイオマーカーの存在および／または濃度を測定するための測定デバイスと、
前記測定された１若しくはそれ以上のバイオマーカーの存在および／または濃度に基づき、前記個人のウェルネスを維持するか、または向上するための前記個人のウェルネスの必要性を予測する予測部であって、前記１若しくはそれ以上のバイオマーカーは、前記ウェルネスの必要性に関連する疾患または健康上の関心の指針である、前記予測部と、
前記個人の生活環境を変えるか、または前記個人のウェルネスの必要性に対処するために、情報、アドバイス、またはガイダンスを前記個人に提供するためのデバイスと、
バイオマーカーと、疾患または健康上の関心および関連するウェルネスの必要性との間の相関関係を格納するためのデータベースと
を有するシステム。
【請求項２４】
請求項２３記載のシステムにおいて、前記測定デバイスは、前記個人の血管系、口腔、尿路、鼻腔および胃腸管から選択される位置に移植されるものであるシステム。
【請求項２５】
請求項２３記載のシステムにおいて、前記予測部および前記デバイスは、スマートフォン、タブレットコンピュータ、ノートブックコンピュータ、イーブックリーダー、モバイルインターネットデバイス、携帯情報端末、インターネット電話、ホログラフィーデバイス、ホログラフィー電話、ケーブルインターネットデバイス、衛星インターネットデバイス、インターネットテレビ、デジタル加入者線（ＤＳＬ）インターネットデバイス、およびリモートコントロールから選択される電子デバイスの一部であるシステム。
【請求項２６】
請求項２５記載のシステムにおいて、前記情報、アドバイス、またはガイダンスは、前記電子デバイスの画面に表示されるか、または前記電子デバイスのスピーカーによって放送されるものであるシステム。
【請求項２７】
請求項２６記載のシステムにおいて、プロモーションまたはクーポンは、前記電子デバイスの画面に表示されるか、または参照されるものであるシステム。
【請求項２８】
請求項２３記載のシステムであって、さらに、体温、脈拍数、血圧、呼吸速度、体水分の状態、目の動き、筋電活性、およびこれらの組み合わせから選択される少なくとも１つの生理学的パラメータを測定するための補助的な測定デバイスを有するシステム。
【請求項２９】
請求項２３記載のシステムであって、前記測定が行われる位置で、測定されたバイオマーカーの存在および／または濃度と時間とを関係づけるための装置を有するシステム。
【請求項３０】
請求項２９記載のシステムにおいて、前記予測部は、前記測定する工程中に採取される１若しくはそれ以上の測定結果と関係づけられる、その時点での温度、高度のノイズ、高度、風、湿度、公害、酸素、日光、花粉、群衆密度、コンクリート、芝生、夜、昼、付近の幹線道路および交通密度、飛行機の飛行、宇宙の放射線レベル、ラドン曝露、衣服、並びにこれらの組み合わせから選択される、前記位置からのさらなるデータを考慮するものであるシステム。
【請求項３１】
請求項２３記載のシステムにおいて、前記測定デバイスは、光学トランスデューサ、質量に基づくトランスデューサ、磁場に基づくトランスデューサ、電気化学的なトランスデューサ、および熱量測定のトランスデューサから選択されるトランスデューサを含む１若しくはそれ以上のバイオセンサを有するものであるシステム。
【請求項３２】
請求項２３記載のシステムにおいて、前記測定デバイスは、大きな磁気抵抗構造、ナノワイヤ、マイクロ流体回路、ナノチューブ、およびバイオチップから選択される構造を含む１若しくはそれ以上のバイオセンサを有するものであるシステム。
【請求項３３】
請求項２３記載のシステムにおいて、前記測定デバイスは、電位差電極、電流滴定電極、および導電率電極から選択される１若しくはそれ以上の電極を有するものであるシステム。
【請求項３４】
請求項２３記載のシステムにおいて、前記測定デバイスは、抗体アレイ、アプタマーアレイ、オリゴヌクレオチドアレイ、およびこれらの組み合わせから選択されるアレイを有するものであるシステム。
【請求項３５】
請求項２３記載のシステムにおいて、前記個人の生活環境を変えることは、照明の明るさ及び／または色を調整すること、室温を調整すること、湿度を調整すること、家具を再配置すること、音楽をかけること、音楽またはオーディオのボリュームを調整すること、ＴＶのチャンネルを変えること、記録された音声または音を流すこと、壁または画面の外観を変えること、屋根を引っ込めること、窓を開けるか、または閉めること、空気中の酸素濃度を調整すること、空気中に香りを付与するか、または香りを調整すること、および１若しくはそれ以上の浮揚する化学物質を空気に導入することから選択される変化を有するものであるシステム。
【請求項３６】
請求項２３記載のシステムにおいて、前記生活環境を変えることは、表示およびウェブ検索結果の１若しくはそれ以上を変えることを有するものであるシステム。
【請求項３７】
請求項２３記載のシステムにおいて、前記情報、アドバイス、またはガイダンスは、前記予測されるウェルネスの必要性を行うための一連の動作、疾患または健康上の関心を予防するか、または軽減するための一連の動作、予測される疾患または健康上の関心をより良く取り扱うための一連の動作、およびこれらの組み合わせから選択される一連の動作を有するものであるシステム。
【請求項３８】
請求項２３記載のシステムにおいて、前記一連の動作は、専門家のカウンセリングを探すこと、旅行、運動、くつろぐこと、友人と会うこと、食事計画を採用すること、ワインまたは飲み物を飲むこと、映画を見ること、ビデオゲームで遊ぶこと、買い物、食事、海を訪れること、服を着用すること、ヘアスタイルにすること、友人に話すこと、デーティングサービスを使用すること、ゲームをすること、およびこれら任意の組み合わせから選択される活動を有するものであるシステム。
【請求項３９】
請求項２３記載のシステムにおいて、前記情報、アドバイス、またはガイダンスは、サプリメント、ビタミン、飲料、美容製品、パーソナルケア製品、減量製品、スキンケア製品、スポーツ用サプリメント、抽出物、プロバイオティクス、調味料、香味料、甘味料、味／芳香遮断剤／調整剤、増量剤、ビデオゲーム、電子機器、読み物、音楽、映画、ＴＶプログラム、ライブショー、服、アクセサリー、靴、家庭用品、運動装置、さまざまな食品、船、自動車、自転車、レストラン、事務用品、家具、および休暇リゾート／目的地から選択される１若しくはそれ以上の製品を提案することを有するものであるシステム。
【請求項４０】
請求項２３記載のシステムにおいて、前記情報、アドバイス、またはガイダンスは、メッセージ、金融サービス、デーティングサービス、ケータリングサービス、ホームクリーニングサービス、ホームインプルーブメントサービス、理髪サービス、化粧品サービス、専門的なカウンセリングサービス、旅行サービス、カジノゲームサービス、買い物サービス、不動産サービス、スポーツ関連サービス、娯楽サービス、オンラインオークションサービス、およびホスピタリティサービスから選択される１若しくはそれ以上のサービスを提案することを有するものであるシステム。
【請求項４１】
請求項２３記載のシステムであって、さらに、前記情報、アドバイス、またはガイダンスに関連して、地元の事業を提案し、および／または地元の事業のマップ位置を提供するための装置を有し、前記情報、アドバイス、またはガイダンスは、製品またはサービスを提案することを含み、前記地元の事業は、提案された製品またはサービスを提供するシステム。
【請求項４２】
請求項２３記載のシステムにおいて、スマートフォン、タブレットコンピュータ、ノートブックコンピュータ、イーブックリーダー、モバイルインターネットデバイス、携帯情報端末、インターネット電話、ホログラフィーデバイス、ホログラフィー電話、ケーブルインターネットデバイス、衛星インターネットデバイス、インターネットテレビ、デジタル加入者線（ＤＳＬ）インターネットデバイス、およびリモートコントロールから選択される電子デバイスを用いて実施されるものであるシステム。
【請求項４３】
請求項４２記載のシステムにおいて、前記電子デバイスは、前記情報、アドバイス、またはガイダンスに関連して事業のマップ位置を提供するように構成され、前記情報、アドバイス、またはガイダンスは、製品またはサービスを提案し、前記事業は、前記製品またはサービスを提供するものであるシステム。
【請求項４４】
請求項４２記載のシステムにおいて、前記電子デバイスは、提案された製品またはサービスに対するフィードバックを得るように構成され、前記フィードバックは、前記製品またはサービスをランク付けするのに使用するために適しており、前記情報、アドバイス、またはガイダンスは、前記製品またはサービスを提案するものであるシステム。
【請求項４５】
請求項１記載の方法において、前記支援はリアルタイムで提供されるものである方法。
【請求項４６】
請求項１記載の方法において、前記測定する工程は、質量分析法を用いて行われるものである方法。
【請求項４７】
請求項１記載の方法において、前記測定する工程において、前記測定は、直接的ではない方法、非侵襲性の方法、前記個人には見えない方法、長時間の方法、迅速な方法を用いて、またはリアルタイムで行われるものである方法。
【請求項４８】
請求項１記載の方法において、前記測定する工程は、個人に合わせて設定される共通のデバイスを用いて行われるものである方法。
【請求項４９】
請求項１記載の方法において、１０種類より多く、２０種類より多く、１００種類より多く、１０００種類より多く、または１０，０００種類より多いバイオマーカーが測定される方法。
【請求項５０】
請求項１記載の方法において、前記測定する工程は、繰り返されるパッシブ型の測定を有するか、または直接的ではない方法を用いて行われるものである方法。
【請求項５１】
請求項１記載の方法において、前記個人の一時的な位置は、前記バイオマーカー測定と同時に集められるものである方法。
【請求項５２】
請求項１記載の方法において、２種類のバイオマーカーの濃度比が使用される方法。
【請求項５３】
請求項１記載の方法において、バイオマーカーの濃度と、ハウスキーピング遺伝子産物の濃度との間の比率が使用される方法。
【請求項５４】
請求項２３記載のシステムにおいて、前記データベースは、前記被検体の生物学的表現型に関するデータ、行動および／または感情の表現型に関する調査に基づくデータ、マップ位置に関するデータ、および環境因子に関するデータから成る群から選択される新しいデータを受け入れ続けるように構成されているシステム。
【請求項５５】
請求項５４記載のシステムにおいて、前記データベースは、前記新しいデータに基づく少なくとも１つの新しい相関関係を含むべく進化するように構成されているシステム。
【手続補正２】
【補正対象書類名】明細書
【補正対象項目名】００１２
【補正方法】変更
【補正の内容】
【００１２】
上に記載した参考文献は、個人由来のサンプル中のバイオマーカーを直接使用し個人を支援し、選択的にリアルタイムで、個人のウェルネスを維持するか、または向上することには適していない。本発明は、個人由来のサンプル中の１若しくはそれ以上のバイオマーカーの存在および／または濃度の測定結果に基づき、個人のウェルネスを維持するか、または向上するための方法およびシステムを提供する。本発明は、ウェルネスを維持するか、または向上するための個人的な情報、アドバイス、またはガイダンスを提供する。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第８，００８，０２０号明細書
（特許文献２）  米国特許出願公開第２０１２／００１５３６８号明細書
（特許文献３）  米国特許出願公開第２０１２／０２３２５２０号明細書
（特許文献４）  米国特許第４，５９１，５７０号明細書
（特許文献５）  米国特許第４，８２９，０１０号明細書
（特許文献６）  米国特許第５，１００，７７７号明細書
（特許文献７）  米国特許第５，２７０，１６３号明細書
（特許文献８）  米国特許第５，４７５，０９６号明細書
（特許文献９）  米国特許第６，７９７，５２２号明細書
（特許文献１０）  米国特許第７，０６７，３２６号明細書
（特許文献１１）  米国特許出願公開第２００３／００４５８２７号明細書
（特許文献１２）  米国特許出願公開第２０１０／０２６０７３９号明細書
（特許文献１３）  米国特許出願公開第２０１１／００２４３０９号明細書
（特許文献１４）  米国特許出願公開第２０１１／００７１０５１号明細書
（特許文献１５）  米国特許出願公開第２０１１／００９３２４９号明細書
（特許文献１６）  米国特許出願公開第２０１１／０３１３７９０号明細書
（特許文献１７）  米国特許出願公開第２０１２／００４１７７８号明細書
（特許文献１８）  米国特許出願公開第２０１２／００７６３９０号明細書
（特許文献１９）  米国特許出願公開第２０１２／０１６４１２７号明細書
（特許文献２０）  米国特許出願公開第２０１２／０１９７５３４号明細書
（特許文献２１）  米国特許出願公開第２０１２／０２０３４６５号明細書
（特許文献２２）  米国特許出願公開第２０１２／０２５８８６５号明細書
（特許文献２３）  米国特許出願公開第２０１３／００７８６２０号明細書
（特許文献２４）  米国特許出願公開第２０１３／０１２２５１８号明細書
（特許文献２５）  米国特許出願公開第２０１３／０１２４２１８号明細書
（特許文献２６）  米国特許出願公開第２０１３／０１３０９３３号明細書
（特許文献２７）  国際公開第２０１３／０３３３５９号
（特許文献２８）  国際公開第２００５／０６４３３７号
（特許文献２９）  欧州特許出願公開第２３９０６５１号明細書
（特許文献３０）  国際公開第２０１２／０７５４４５号
（特許文献３１）  国際公開第２００７／１４６４９号
（特許文献３２）  国際公開第２００８／０８８２８８号
（特許文献３３）  国際公開第２００６／０５９２７０号
（特許文献３４）  国際公開第２００７／１０２６２９号
（特許文献３５）  欧州特許出願公開第１２４８２１３号明細書
（特許文献３６）  国際公開第２０１０／１３８９７５号
（特許文献３７）  国際公開第２０１３／００９５８９号
（非特許文献）
（非特許文献１）  Ｉｎｔｅｒｎａｔｉｏｎａｌ  Ｓｅａｒｃｈ  Ｒｅｐｏｒｔ；  Ｍａｉｌｅｄ  ２０１４−０９−２５  ｆｏｒ  ＰＣＴ  Ａｐｐｌｉｃａｔｉｏｎ  Ｎｏ．ＰＣＴ／ＵＳ２０１４／０３９２８６
（非特許文献２）  Ｋａｎｄｅｌ，Ｄｅｎｉｓｅ  Ｂ．，ｅｔ  ａｌ．"Ｕｒｉｎｅ  ｎｉｃｏｔｉｎｅ  ｍｅｔａｂｏｌｉｔｅｓ  ａｎｄ  ｓｍｏｋｉｎｇ  ｂｅｈａｖｉｏｒ  ｉｎ  ａ  ｍｕｌｔｉｒａｃｉａｌ／ｍｕｌｔｉｅｔｈｎｉｃ  ｎａｔｉｏｎａｌ  ｓａｍｐｌｅ  ｏｆ  ｙｏｕｎｇ  ａｄｕｌｔｓ．"Ａｍｅｒｉｃａｎ  Ｊｏｕｒｎａｌ  ｏｆ  Ｅｐｉｄｅｍｉｏｌｏｇｙ  １６５．８（２００７）：  ９０１−９１０．
（非特許文献３）  Ｘｉａ，Ｆａｎ，ｅｔ  ａｌ．"Ｃｏｌｏｒｉｍｅｔｒｉｃ  ｄｅｔｅｃｔｉｏｎ  ｏｆ  ＤＮＡ，ｓｍａｌｌ  ｍｏｌｅｃｕｌｅｓ，ｐｒｏｔｅｉｎｓ，ａｎｄ  ｉｏｎｓ  ｕｓｉｎｇ  ｕｎｍｏｄｉｆｉｅｄ  ｇｏｌｄ  ｎａｎｏｐａｒｔｉｃｌｅｓ  ａｎｄ  ｃｏｎｊｕｇａｔｅｄ  ｐｏｌｙｅｌｅｃｔｒｏｌｙｔｅｓ．"ＰＮＡＳ  １０７．２４（２０１０）：  １０８３７−１０８４１．
（非特許文献４）  ｖａｎ  ｄｅ  Ｋａｎｔ，Ｋｉｍ  ＤＧ，ｅｔ  ａｌ．"Ｅａｒｌｙ  ｄｉａｇｎｏｓｉｓ  ｏｆ  ａｓｔｈｍａ  ｉｎ  ｙｏｕｎｇ  ｃｈｉｌｄｒｅｎ  ｂｙ  ｕｓｉｎｇ  ｎｏｎ−ｉｎｖａｓｉｖｅ  ｂｉｏｍａｒｋｅｒｓ  ｏｆ  ａｉｒｗａｙ  ｉｎｆｌａｍｍａｔｉｏｎ  ａｎｄ  ｅａｒｌｙ  ｌｕｎｇ  ｆｕｎｃｔｉｏｎ  ｍｅａｓｕｒｅｍｅｎｔｓ：  ｓｔｕｄｙ  ｐｒｏｔｏｃｏｌ  ｏｆ  ａ  ｃａｓｅ−ｃｏｎｔｒｏｌ  ｓｔｕｄｙ．"ＢＭＣ  ｐｕｂｌｉｃ  ｈｅａｌｔｈ  ９．１（２００９）：  ２１０．
（非特許文献５）  Ｓｈａｌｏｎ，Ｄａｒｉ，Ｓｔｅｐｈｅｎ  Ｊ．Ｓｍｉｔｈ，ａｎｄ  Ｐａｔｒｉｃｋ  Ｏ．Ｂｒｏｗｎ．"Ａ  ＤＮＡ  ｍｉｃｒｏａｒｒａｙ  ｓｙｓｔｅｍ  ｆｏｒ  ａｎａｌｙｚｉｎｇ  ｃｏｍｐｌｅｘ  ＤＮＡ  ｓａｍｐｌｅｓ  ｕｓｉｎｇ  ｔｗｏ−ｃｏｌｏｒ  ｆｌｕｏｒｅｓｃｅｎｔ  ｐｒｏｂｅ  ｈｙｂｒｉｄｉｚａｔｉｏｎ．"Ｇｅｎｏｍｅ  ｒｅｓｅａｒｃｈ  ６．７（１９９６）：  ６３９−６４５．
（非特許文献６）  Ｐｅａｓｅ，Ａ．Ｃａｖｉａｎｉ，ｅｔ  ａｌ．"Ｌｉｇｈｔ−ｇｅｎｅｒａｔｅｄ  ｏｌｉｇｏｎｕｃｌｅｏｔｉｄｅ  ａｒｒａｙｓ  ｆｏｒ  ｒａｐｉｄ  ＤＮＡ  ｓｅｑｕｅｎｃｅ  ａｎａｌｙｓｉｓ．"Ｐｒｏｃｅｅｄｉｎｇｓ  ｏｆ  ｔｈｅ  Ｎａｔｉｏｎａｌ  Ａｃａｄｅｍｙ  ｏｆ  Ｓｃｉｅｎｃｅｓ  ９１．１１（１９９４）：  ５０２２−５０２６．
（非特許文献７）  Ｃｏｒｒａｄｉ，Ｍａｓｓｉｍｏ，ａｎｄ  Ａｎｔｏｎｉｏ  Ｍｕｔｔｉ．"Ｅｘｈａｌｅｄ  ｂｒｅａｔｈ  ａｎａｌｙｓｉｓ：  ｆｒｏｍ  ｏｃｃｕｐａｔｉｏｎａｌ  ｔｏ  ｒｅｓｐｉｒａｔｏｒｙ  ｍｅｄｉｃｉｎｅ．"Ａｃｔａ  ｂｉｏ−ｍｅｄｉｃａ：  Ａｔｅｎｅｉ  Ｐａｒｍｅｎｓｉｓ  ７６．Ｓｕｐｐｌ  ２（２００５）：  ２０．
（非特許文献８）  "Ｆｉｒｓｔ  Ｅｓｔｉｍａｔｅ  ｏｆ  Ｔｏｔａｌ  Ｖｉｒｕｓｅｓ  ｉｎ  Ｍａｍｍａｌｓ，"Ｉｎｆｅｃｔｉｏｕｓ  Ｄｉｓｅａｓｅ，Ｓｅｐｔ．０３，２０１３，７  ｐａｇｅｓ．
（非特許文献９）  Ａｒｎｏｌｄ，Ｃａｒｒｉｅ．"Ｇｕｔ  ｆｅｅｌｉｎｇｓ：  ｔｈｅ  ｆｕｔｕｒｅ  ｏｆ  ｐｓｙｃｈｉａｔｒｙ  ｍａｙ  ｂｅ  ｉｎｓｉｄｅ  ｙｏｕｒ  ｓｔｏｍａｃｈ．"Ｔｈｅ  Ｖｅｒｇｅ  ２１（２０１３）．
（非特許文献１０）  Ｇｒｅｅｎｆｉｅｌｄｂｏｙｃｅ，Ｎ．，"Ｆａｔ  Ｂａｃｔｅｒｉａ  ｉｎ  Ｈｕｍａｎ  Ｇｕｔｓ  Ｔｉｅｄ  ｔｏ  Ｏｂｅｓｉｔｙ，"Ｄｅｃｅｍｂｅｒ  ２０，２００６；  Ｒｅｔｒｉｅｖｅｄ  ｆｒｏｍ  ｈｔｔｐ：／／ｗｗｗ．ｎｐｒ．ｏｒｇ／ｔｅｍｐｌａｔｅｓ／ｓｔｏｒｙ／ｓｔｏｒｙ．ｐｈｐ？ｓｔｏｒｙｌｄ＝６６５４６０７